(57)【要約】【課題】  肌表面との摩擦力を低減させつつ、体毛を確実に短く剃ることができる電気かみそりを提供する。【解決手段】本発明に係る電気かみそり１は、肌表面Ｓに接触する外刃３１と、外刃３１と肌表面Ｓとの摩擦を低減する摩擦低減部４０とを備える。摩擦低減部４０は、外刃３１の延在方向Ｙに沿う回転軸４１と、回転軸４１を中心に回転する複数のローラ４２とを備える。複数のローラ４２は、回転軸４１上で外刃３１の延在方向Ｙに対して移動する。【選択図】図２
2013063227.tif 000002
【特許請求の範囲】
【請求項１】
肌表面に接触する外刃と、前記外刃と前記肌表面との摩擦を低減する摩擦低減部とを備える電気かみそりであって、
前記摩擦低減部は、
前記外刃の延在方向に沿う回転軸と、
前記回転軸を中心に回転する複数の回転体と
を備え、
複数の前記回転体は、前記回転軸上で前記外刃の延在方向に対して移動することを特徴とする電気かみそり。
【請求項２】
請求項１に記載の電気かみそりであって、
前記回転軸は、複数設けられ、
前記回転体は、複数の前記回転軸のそれぞれに設けられることを特徴とする電気かみそり。
【請求項３】
請求項１又は請求項２に記載の電気かみそりであって、
前記摩擦低減部は、前記回転体を所定の位置で保持する保持部材を備え、
前記保持部材は、前記回転体に連結されるとともに、前記外刃の延在方向の最も外側に位置する前記回転体の外端部に設けられることを特徴とする電気かみそり。
【請求項４】
請求項１乃至請求項３の何れかに記載の電気かみそりであって、
前記摩擦低減部は、前記回転体を所定の位置で保持する保持部材を備え、
前記保持部材は、前記回転体に連結されるとともに、前記外刃の延在方向に隣接する前記回転体の間に設けられることを特徴とする電気かみそり。
【請求項５】
請求項３又は請求項４に記載の電気かみそりであって、
前記回転体又は前記保持部材の少なくとも一方は、多孔質部材によって形成されることを特徴とする電気かみそり。
【発明の詳細な説明】
【技術分野】
【０００１】
本発明は、電気かみそりに関する。
【背景技術】
【０００２】
従来から、外刃を肌表面に押し当てながら移動させる際に、外刃と肌表面との間の摩擦力（外刃表面が肌表面に及ぼす摩擦力）を低減させる電気かみそりについて、様々な提案がなされている。
【０００３】
例えば、肌表面に接触しながら、外刃の延在方向に直交する直交方向に対して回転する回転体（摩擦低減部）を備えた電気かみそりが知られている（例えば、特許文献１参照）。この回転体は、外刃よりも肌表面側に突出し、スプリング（弾性体）によって支持されている。これにより、回転体がスプリングにより肌表面に押し付けられて回転するため、外刃と肌表面との間の摩擦力を低減できる。
【先行技術文献】
【特許文献】
【０００４】
【特許文献１】特開２００９−２３２８９４号公報（第２〜第３頁、第１及び第２図）
【発明の概要】
【発明が解決しようとする課題】
【０００５】
しかしながら、上述した従来の電気かみそりでは、摩擦力を低減できるものの、外刃よりも肌表面側に突出した回転体がスプリングにより常に肌表面に押し付けられるため、外刃が肌表面に加わる力が不十分であった。このため、体毛を短く剃ること（いわゆる、深剃り）については未だ改善の余地があるのが現状である。
【０００６】
そこで、本発明は、肌表面との摩擦力を低減させつつ、体毛を確実に短く剃ることができる電気かみそりの提供を目的とする。
【課題を解決するための手段】
【０００７】
上述した課題を解決するため、本発明は、次のような特徴を有している。まず、本発明の第１の特徴は、肌表面に接触する外刃と、前記外刃と前記肌表面との摩擦を低減する摩擦低減部とを備える電気かみそりであって、前記摩擦低減部は、前記外刃の延在方向に沿う回転軸と、前記回転軸を中心に回転する複数の回転体とを備え、複数の前記回転体は、前記回転軸上で前記外刃の延在方向に対して移動することを要旨とする。
【０００８】
かかる特徴によれば、複数の回転体は、回転軸上で外刃の延在方向に対して移動する。これにより、複数の回転体は、肌表面に押し付けられると、外刃の延在方向に直交する直交方向に回転しながら、外刃の延在方向にも移動する。つまり、複数の回転体は、肌表面の凹凸を平らにするように（引き延ばすように）、外刃の延在方向に移動する。このため、外刃と肌表面との間の摩擦力を低減させつつ、肌表面の凹凸を解消した状態で体毛を剃ることができ、体毛を確実に短く剃ること（いわゆる、深剃り）ができる。
【０００９】
本発明の第２の特徴は、本発明の第１の特徴に係り、前記回転軸は、複数設けられ、前記回転体は、複数の前記回転軸のそれぞれに設けられることを要旨とする。
【００１０】
かかる特徴によれば、回転体は、複数の回転軸のそれぞれに設けられる。これにより、外刃の形状に合わせて回転体を配置させ易くなり、様々な形状の外刃に対応できるため、回転体の汎用性が増大する。加えて、肌表面に押し付けられる際の回転軸への負担が軽減し、回転軸の耐久性をも向上できる。
【００１１】
本発明の第３の特徴は、本発明の第１又は第２の特徴に係り、前記摩擦低減部は、前記回転体を所定の位置で保持する保持部材を備え、前記保持部材は、前記回転体に連結されるとともに、前記外刃の延在方向の最も外側に位置する前記回転体の外端部に設けられることを要旨とする。
【００１２】
かかる特徴によれば、摩擦低減部は、回転体を所定の位置で保持する保持部材を備える。これにより、回転体が外刃の延在方向に移動しても、所定の位置（例えば、回転体が移動する前の初期の位置）に回転体を戻すことができる。このため、回転体は、肌表面の凹凸を連続的に平らにする（引き延ばす）ことができる。
【００１３】
特に、保持部材は、外刃の延在方向の最も外側に位置する回転体の外端部に設けられる。これにより、保持部材を設置する作業が容易となり、摩擦低減部を電気かみそりに組み付ける作業性が向上する。
【００１４】
本発明の第４の特徴は、本発明の第１乃至第３の特徴に係り、前記摩擦低減部は、前記回転体を所定の位置で保持する保持部材を備え、前記保持部材は、前記回転体に連結されるとともに、前記外刃の延在方向に隣接する前記回転体の間に設けられることを要旨とする。
【００１５】
かかる特徴によれば、保持部材は、外刃の延在方向に隣接する回転体の間に設けられる。これにより、回転体の間に肌表面が入り込んでしまうことを防止でき、肌の保護を実現できる。
【００１６】
本発明の第５の特徴は、本発明の第３又は第４の特徴に係り、前記回転体又は前記保持部材の少なくとも一方は、多孔質部材によって形成されることを要旨とする。
【００１７】
かかる特徴によれば、回転体又は保持部材の少なくとも一方は、多孔質部材によって形成される。これにより、水や潤滑剤等が保持され易くなり、回転体又は保持部材が肌表面に押し付けられると、水や潤滑剤等が染み出す。このため、肌表面上で回転体が回転し易くなり、外刃と肌表面との間の摩擦力をより低減できる。
【発明の効果】
【００１８】
本発明の特徴によれば、肌表面との摩擦力を低減させつつ、体毛を確実に短く剃ることができる電気かみそりを提供することができる。
【図面の簡単な説明】
【００１９】
【図１】第１実施形態に係る電気かみそり１を示す斜視図である。
【図２】第１実施形態に係る刃部３０を示す斜視図・正面図である。
【図３】第１実施形態に係る摩擦低減部４０を示す斜視図である。
【図４】第１実施形態に係るローラ４２が肌表面Ｓに接触している状態を示す模式図である。
【図５】第２実施形態に係る摩擦低減部４０を示す正面図である（その１）。
【図６】第２実施形態に係る摩擦低減部４０を示す正面図である（その２）。
【図７】第３実施形態に係る摩擦低減部４０を示す模式図である（その１）。
【図８】第３実施形態に係る摩擦低減部４０を示す模式図である（その２）。
【図９】第３実施形態に係る摩擦低減部４０を示す模式図である（その３）。
【図１０】その他の実施形態に係るローラ４２を示す模式図である（その１）。
【図１１】その他の実施形態に係るローラ４２を示す模式図である（その２）。
【図１２】その他の実施形態に係るローラ４２を示す模式図である（その３）。
【発明を実施するための形態】
【００２０】
次に、本発明に係る電気かみそりの実施形態について、図面を参照しながら説明する。具体的には、（１）第１実施形態、（２）第２実施形態、（３）第３実施形態、（４）その他の実施形態について説明する。
【００２１】
なお、以下の図面の記載において、同一または類似の部分には、同一または類似の符号を付している。ただし、図面は模式的なものであり、各寸法の比率などは現実のものとは異なることに留意すべきである。
【００２２】
したがって、具体的な寸法などは以下の説明を参酌して判断すべきである。また、図面相互間においても互いの寸法の関係や比率が異なる部分が含まれ得る。
【００２３】
（１）第１実施形態
（電気かみそりの全体構成）
まず、第１実施形態に係る電気かみそり１の構成について、図面を参照しながら説明する。図１は、第１実施形態に係る電気かみそり１を示す斜視図である。図２（ａ）は、第１実施形態に係る刃部３０を示す斜視図であり、図２（ｂ）は、第１実施形態に係る刃部３０を示す正面図（直交方向Ｘからの矢視図）である。
【００２４】
図１に示すように、電気かみそり１は、使用者が把持するグリップ部１０と、グリップ部１０に連結されるヘッド部２０とによって大略構成されている。
【００２５】
グリップ部１０には、電気かみそり１を動作させる（電源をオン、オフさせる）押圧式のスイッチ１１が設けられている。ヘッド部２０は、グリップ部１０に取り付けられるヘッド本体２１と、ヘッド本体２１に着脱自在に装着される刃ヘッドハウジング２２とを備えている。
【００２６】
刃ヘッドハウジング２２には、使用者の肌表面Ｓから伸びる体毛Ｈ（図４参照）を処理する刃部３０と、刃部３０に隣接する摩擦低減部４０とが取り付けられるとともに、刃部３０を動作させる駆動部（不図示）が内蔵されている。なお、摩擦低減部４０の詳細については、後述する。
【００２７】
刃部３０は、図２に示すように、ヘッド部２０の上方に露出して肌表面Ｓに接触する複数の外刃３１と、それぞれの外刃３１の内方（外刃３１の下側）に位置する内刃（不図示）とによって構成される。
【００２８】
外刃３１は、刃ヘッドハウジング２２に固定されており、外刃３１の延在方向Ｙ（いわゆる、左右方向）と直交する直交方向Ｘ（いわゆる、前後方向）に複数（５枚）並設される。具体的には、外刃３１として、前方（図２（ａ）の手前側）から後方（図２（ａ）の奥側）に向かって、第１のネット刃３１Ａ、第２のネット刃３１Ｂ、スリット刃３２、第３のネット刃３１Ｃ、第４のネット刃３１Ｄが並設されている。
【００２９】
これらの第１〜第４のネット刃３１Ａ〜３１Ｄは、電気かみそり１の側面視（外刃３１の延在方向Ｙから視た状態）において、上方が凸となるように直交方向Ｘに沿って逆Ｕ字状に湾曲して形成されている。また、第１〜第４のネット刃３１Ａ〜３１Ｄは、電気かみそり１の正面視（直交方向Ｘから視た状態）で上方が凸となるように外刃３１の延在方向Ｙに沿って若干湾曲して形成されている（図２（ｂ）参照）。そして、第１〜第４のネット刃３１Ａ〜３１Ｄには、多数の刃穴（図示省略）が形成されている。
【００３０】
スリット刃３２は、直交方向Ｘに沿ってＵ字状に湾曲して形成されており、平坦な上壁から側壁に至る多数のスリット（図示省略）を穿設することで形成されている。
【００３１】
このような電気かみそり１では、刃穴やスリットに入り込んだ体毛Ｈを、内刃が外刃３１に対して相対移動（外刃３１の延在方向Ｙに往復動）することによって、これらの内刃と外刃３１とが協働して体毛Ｈを切断する。
【００３２】
（摩擦低減部の構成）
次に、上述した摩擦低減部４０の構成について、図面を参照しながら説明する。図３は、第１実施形態に係る摩擦低減部４０を示す斜視図である。
【００３３】
図２に示すように、摩擦低減部４０は、外刃３１を肌表面Ｓに沿って移動させる際の摩擦力を低減させるものである。摩擦低減部４０は、第１のネット刃３１Ａの直交方向Ｘ外側に１つ設けられるとともに、第４のネット刃３１Ｄの直交方向Ｘ外側にも１つ設けられている（図２（ａ）参照）。摩擦低減部４０は、外刃３１よりも肌表面Ｓ側（すなわち、外刃３１が上方を向くようにヘッド部を配置した状態における上方向）に突出している（図２（ｂ）参照）。
【００３４】
図３に示すように、それぞれの摩擦低減部４０は、外刃３１の延在方向Ｙに沿った１本の回転軸４１と、回転軸４１を中心に回転する複数の回転体としてのローラ４２とを備えている。
【００３５】
回転軸４１は、刃ヘッドハウジング２２に固定されており、電気かみそり１の正面視において中央が凸となるように緩やかに湾曲している。
【００３６】
複数のローラ４２は、それぞれ円筒状をなしており、樹脂等によって形成されている。また、複数のローラ４２は、外刃３１の延在方向Ｙに並設され、肌表面Ｓに接触した状態で外刃３１の延在方向Ｙに対して移動可能である。つまり、ローラ４２は、緩やかに湾曲した回転軸４１上を移動可能である。
【００３７】
（ローラの動き）
次に、上述したローラ４２の動きについて、図面を参照しながら説明する。図４（ａ）は、第１実施形態に係るローラ４２が肌表面Ｓに接触した瞬間を示す模式図であり、図４（ｂ）は、第１実施形態に係るローラ４２が肌表面Ｓ上を移動した状態を示す模式図である。
【００３８】
図４（ａ）に示すように、電気かみそり１が動作して複数のローラ４２の外周が肌表面Ｓに接触すると、それぞれ隣接するローラ４２間に体毛Ｈが入り込む。
【００３９】
そして、図４（ｂ）に示すように、ローラ４２は、直交方向Ｘに回転しながら、肌表面Ｓの凹凸を平らにするように（引き延ばすように）、外刃３１の延在方向Ｙに移動する。これにより、外刃３１が肌表面Ｓに近づき、刃部３０が体毛Ｈを短く剃ること（いわゆる、深剃り）し易くなる。
【００４０】
（作用・効果）
以上説明した第１実施形態では、複数のローラ４２は、回転軸４１上で外刃３１の延在方向Ｙに対して移動する。これにより、複数のローラ４２は、肌表面Ｓに押し付けられると、外刃３１の延在方向Ｙに直交する直交方向Ｘに回転しながら、外刃３１の延在方向Ｙにも移動する。つまり、複数のローラ４２は、肌表面Ｓの凹凸を平らにするように（引き延ばすように）、外刃３１の延在方向Ｙに移動する。このため、外刃３１と肌表面Ｓとの間の摩擦力を低減させつつ、肌表面Ｓの凹凸を解消した状態で体毛Ｈを剃ることができ、体毛Ｈを確実に短く剃ること（いわゆる、深剃り）ができる。
【００４１】
このように、肌表面Ｓの凹部分では、外刃３１に形成される刃穴に導入される体毛Ｈの導入量が向上して、体毛Ｈを確実に短く剃ること（いわゆる、深剃り）を実現できる。一方、肌表面Ｓの凸部分では、外刃３１に形成される刃穴に肌表面Ｓが入り込むことなく、肌の保護を実現できる。すなわち、深剃り及び肌の保護の両立を実現できる。
【００４２】
（２）第２実施形態
次に、第２実施形態に係る電気かみそり１について、図面を参照しながら説明する。図５及び図６は、第２実施形態に係る摩擦低減部４０を示す正面図（直交方向Ｘからの矢視図）である。なお、上述した第１実施形態に係る電気かみそり１と同一部分には同一の符号を付して、相違する部分を主として説明する。
【００４３】
上述した第１実施形態では、ローラ４２は、１本の回転軸４１に複数設けられている。これに対して、第２実施形態では、ローラ４２は、１本の回転軸４１に１つ設けられる。
【００４４】
具体的には、図５に示すように、回転軸４１は、複数設けられている。つまり、それぞれの回転軸４１は、隣接する回転軸４１と上下方向Ｚに対して異なる位置に設けられている。つまり、これらのローラ４２は、外刃３１の延在方向Ｙに沿うように、電気かみそり１の正面視（直交方向Ｘから視た状態）において、中心が凸となるように配置されている。そして、ローラ４２は、複数の回転軸４１のそれぞれに１つ設けられている。
【００４５】
このような第２実施形態では、ローラ４２は、複数の回転軸４１のそれぞれに設けられる。これにより、外刃３１の形状に合わせてローラ４２を配置させ易くなり、様々な形状の外刃３１に対応できるため、ローラ４２の汎用性が増大する。加えて、肌表面Ｓに押し付けられる際の回転軸４１への負担が軽減し、回転軸４１の耐久性をも向上できる。
【００４６】
ここで、ローラ４２は、図５に示すように、必ずしも円筒状に形成される必要なく、例えば、図６に示すように、ローラ４２が肌表面Ｓに密着し易くなるように、ローラ４２の端部に向かうに連れて徐々に先細状となるように形成されていてもよい。
【００４７】
（３）第３実施形態
次に、第３実施形態に係る電気かみそり１について、図面を参照しながら説明する。図７〜図９は、第３実施形態に係る摩擦低減部４０を示す模式図（直交方向Ｘからの矢視図）である。なお、上述した第１実施形態及び第２実施形態に係る電気かみそり１と同一部分には同一の符号を付して、相違する部分を主として説明する。
【００４８】
上述した第１実施形態では、摩擦低減部４０は、回転軸４１と、ローラ４２とを備えている。これに対して、第３実施形態では、摩擦低減部４０は、回転軸４１及びローラ４２に加えて、ローラ４２を所定の位置で保持する保持部材４３をさらに備えている。
【００４９】
具体的には、図７に示すように、保持部材４３は、弾性変形するバネ部材（例えば、コイルバネ等）によって形成されている。保持部材４３は、ローラ４２に連結されている。保持部材４３は、外刃３１の延在方向Ｙの最も外側に位置するローラ４２の外端部に設けられる。
【００５０】
保持部材４３は、外刃３１の延在方向（延在方向Ｙ）に移動した場合（図７（ｂ）参照）に、ローラ４２が肌表面Ｓから離れると、ローラ４２が移動する前の初期の位置（図７（ａ））で保持する。すなわち、保持部材４３は、ローラ４２を初期の位置に戻す。
【００５１】
このような第３実施形態では、摩擦低減部４０は、保持部材４３を備える。これにより、ローラ４２が外刃３１の延在方向Ｙに移動しても、所定の位置（例えば、ローラ４２が移動する前の初期の位置）にローラ４２を戻すことができる。このため、ローラ４２は、肌表面Ｓの凹凸を連続的に平らにする（引き延ばす）ことができる。
【００５２】
また、保持部材４３は、外刃３１の延在方向Ｙの最も外側に位置するローラ４２の外端部に設けられる場合、保持部材４３を設置する作業が容易となり、摩擦低減部４０を電気かみそり１に組み付ける作業性が向上する。
【００５３】
ここで、保持部材４３は、図７に示すように、必ずしも外刃３１の延在方向Ｙの最も外側に位置するローラ４２の外端部に設けられる必要はなく、例えば、図８に示すように、外刃３１の延在方向に隣接するローラ４２同士の間に設けられていてもよい。この場合、ローラ４２の間に肌表面Ｓが入り込んでしまうことを防止でき、肌の保護を実現できる。
【００５４】
また、保持部材４３は、必ずしもバネ部材によって形成される必要はなく、弾性変形が可能な部材であればよく、例えば、図９に示すように、弾性変形する多孔質部材によって形成されていていてもよい。この場合、保持部材４３に水や潤滑剤等が保持され易くなり、保持部材４３が肌表面Ｓに押し付けられると、水や潤滑剤等が染み出す。このため、肌表面Ｓ上でローラ４２が回転し易くなり、外刃３１とローラ４２との間の摩擦力をより低減できる。
【００５５】
（４）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００５６】
例えば、本発明の実施形態は、次のように変更することができる。具体的には、電気かみそり１は、上述した実施形態で説明したものに限定されるものではなく、少なくとも外刃３１及び摩擦低減部を備える電気かみそりであればよい。
【００５７】
また、摩擦低減部４０は、第１のネット刃３１Ａの外側と第４のネット刃３１Ｄの外側にそれぞれ１つ設けられているものとして説明したが、これに限定されるものではない。例えば、摩擦低減部４０は、スリット刃３２に隣接するように設けられていてもよい。
【００５８】
また、ローラ４２は、樹脂等によって形成されているものとして説明したが、これに限定されるものではない。例えば、ローラ４２は、図１０に示すように、多孔質部材によって形成されていてもよい。これにより、ローラ４２に水や潤滑剤等が保持され易くなり、ローラ４２が肌表面Ｓに押し付けられると、水や潤滑剤等が染み出す。このため、肌表面Ｓ上でローラ４２が回転し易くなり、外刃３１とローラ４２との間の摩擦力をより低減できる。
【００５９】
また、ローラ４２は、電気かみそり１の正面視（直交方向Ｘから視た状態）において中心が凸となるように配置されるものとして説明したが、これに限定されるものではない。例えば、ローラ４２は、外刃３１の延在方向Ｙに直線状に配置されていてもよく、また、図１１に示すように、円形状の外刃３１の外周に沿って配置されていてもよい。
【００６０】
また、ローラ４２は、円筒状や先細状に形成されるものとして説明したが、これに限定されるものではない。例えば、ローラ４２は、図１２に示すように、凹凸状に形成されていてもよく、肌表面Ｓの凹凸を平らにする（引き延ばす）ことが可能な形状であればよい。
【００６１】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００６２】
１…電気かみそり
３０…刃部
３１…外刃
４０…摩擦低減部
４１…回転軸
４２…ローラ（回転体）
４３…保持部材
【図１】
2013063227.tif 000003
【図２】
2013063227.tif 000004
【図３】
2013063227.tif 000005
【図４】
2013063227.tif 000006
【図５】
2013063227.tif 000007
【図６】
2013063227.tif 000008
【図７】
2013063227.tif 000009
【図８】
2013063227.tif 000010
【図９】
2013063227.tif 000011
【図１０】
2013063227.tif 000012
【図１１】
2013063227.tif 000013
【図１２】
2013063227.tif 000014